(57)【特許請求の範囲】
【請求項１】
内向きに折り返してなる一対の内鍔を有した溝形に形成されて建物の天井空間に設置されるレースウェイに照明器具を取り付けるための取付装置であって、照明器具を保持する保持手段と、レースウェイに保持手段を固定する固定手段とから構成され、保持手段は、下方に開口し、且つ開口内に挿入される照明器具の器具本体を弾性挟持するバネ体を有し、固定手段は、レースウェイの内鍔に係止する係止片が長手方向の両端に形成された係止部材と、前記係止部材を保持手段に連結する連結部材とを有し、固定手段の係止部材は、長手方向の長さがレースウェイの内鍔間の開口幅より長く、レースウェイの両側面の間隔より短く、且つ短手方向の長さが前記開口幅より短く形成され、保持手段のバネ体と連結固定されていることを特徴とする照明器具の取付装置。
【請求項２】
前記連結部材に、レースウェイの内鍔を係止片との間で挟持する挟持板が水平面内で回動自在に支持され、前記挟持板はレースウェイ及び係止片と対向する上面に、回動中心から離れるに従って高さを増す隆起部が設けられ、少なくとも隆起部がレースウェイの内鍔に当接する位置と当接しない位置との間で回動自在であることを特徴とする請求項１記載の照明器具の取付装置。
【発明の詳細な説明】
【技術分野】
【０００１】
本発明は、建物の天井空間に設置されるレースウェイに照明器具を取付ける取付装置に関するものである。
【背景技術】
【０００２】
従来、倉庫や工場などにおいては、レースウェイと呼ばれる配管部材を天井に設置しておき、係るレースウェイに取付装置を用いて照明器具を取り付けるようにしている（例えば、特許文献１、２参照）。
【０００３】
この種の取付装置の一例として、図４に示すように直管形の蛍光ランプを使用する照明器具３をレースウェイ１に取り付ける取付装置４０がある。
【０００４】
照明器具３は、器具本体１３、カバー１４、ランプソケット１５及び安定器（図示せず）などから構成される。器具本体１３は、上面にボルト挿通孔１３ａを備え、下面を開口した細長角筒状に形成されている。カバー１４は、器具本体１３の下面の開口に嵌合する細長矩形板状に形成され、上面にはランプソケット１５に装着される直管形の蛍光ランプを点灯する安定器が取付けられている。また、カバー１４は、長手方向の両端にランプソケット１５が備えられている。そして、両端のランプソケット１５には、直管形の蛍光ランプが装着される。
【０００５】
取付装置４０は、係止部材３０、保持具３５、ボルト３２、座金３３及び蝶ナット３４から構成されている。係止部材３０の長手方向の両端には、レースウェイ１の内鍔２に係止する係止片３１が設けられている。また、保持具３５は、円盤状に形成されたゴム等の弾性材からなり、中心にボルト挿通孔３５ａが備えられている。
【０００６】
照明器具３は、以下の手順よってレースウェイ１に取付けられる。先ず、ボルト３２が連結した係止部材３０を直接指で保持し、レースウェイ１の内鍔２に係止片３１を係止させる。次に、ボルト３２に保持具３５のボルト挿通孔３５ａを挿通させて、保持具３５と係止片３１との間でレースウェイ１の内鍔２を挟持する。そして、ボルト３２に器具本体１３のボルト挿通孔１３ａを挿通させて、座金３３を介して蝶ナット３４で締結させる。最後に、カバー１４を器具本体１３の下面の開口に嵌合させる。
【特許文献１】特開平１０−０６４３２５号公報
【特許文献２】特開平４−  １４４００４号公報
【発明の開示】
【発明が解決しようとする課題】
【０００７】
しかしながら、図４に示した従来例では、照明器具３をレースウェイ１へ取付け、若しくはレースウェイ１から取外しをするためには、照明器具３及び取付装置４０を組立て、若しくは解体する必要があり、特にレイアウトの変更が頻繁に行われる場所では、多くの施工時間を要するという問題がある。
【０００８】
本発明は上記事由に鑑みて為されたものであり、その目的は、照明器具のレースウェイへの取付け及び取外しが容易に行える照明器具の取付装置を提供することにある。
【課題を解決するための手段】
【０００９】
請求項１の発明は、上記目的を達成するために、内向きに折り返してなる一対の内鍔を有した溝形に形成されて建物の天井空間に設置されるレースウェイに照明器具を取り付けるための取付装置であって、照明器具を保持する保持手段と、レースウェイに保持手段を固定する固定手段とから構成され、保持手段は、下方に開口し、且つ開口内に挿入される照明器具の器具本体を弾性挟持するバネ体を有し、固定手段は、レースウェイの内鍔に係止する係止片が長手方向の両端に形成された係止部材と、前記係止部材を保持手段に連結する連結部材とを有し、固定手段の係止部材は、長手方向の長さがレースウェイの内鍔間の開口幅より長く、レースウェイの両側面の間隔より短く、且つ短手方向の長さが前記開口幅より短く形成され、保持手段のバネ体と連結固定されていることを特徴とする。
【００１０】
この発明によれば、照明器具を保持する保持手段は、下方に開口し、且つ開口内に挿入される照明器具の器具本体を弾性挟持するバネ体を有しているので、従来例のように照明器具を解体しなくてもよいから、レースウェイへの照明器具の取付け及び取外しが容易に行える。しかも、照明器具の取付け及び取外し時に保持手段や固定手段の解体並びに組立を行う必要が無く、その点でも施工作業が容易になる。また、固定手段の係止部材は、長手方向の長さがレースウェイの内鍔間の開口幅より長く、レースウェイの両側面の間隔より短く、且つ短手方向の長さが前記開口幅より短く形成され、保持手段のバネ体と連結固定されているので、係止部材をレースウェイの内鍔間の開口に挿入し、バネ体を水平面内で回動すれば、係止片がレースウェイの内鍔に係止して、取付装置をレースウェイに保持させることが可能となり、施工作業が容易になる。
【００１１】
請求項２の発明は、請求項１の発明において、前記連結部材に、レースウェイの内鍔を係止片との間で挟持する挟持板が水平面内で回動自在に支持され、前記挟持板はレースウェイ及び係止片と対向する上面に、回動中心から離れるに従って高さを増す隆起部が設けられ、少なくとも隆起部がレースウェイの内鍔に当接する位置と当接しない位置との間で回動自在であることを特徴とする。
【００１２】
この発明によれば、前記連結部材に、レースウェイの内鍔を係止片との間で挟持し、回動中心から離れるに従って高さを増す隆起部を備えた挟持板が、水平面内で回動自在に支持されているので、隆起部がレースウェイの内鍔に当接する位置まで挟持板を回動するだけで、取付装置をレースウェイに固定することが可能となり、施工作業が容易になる。
【発明の効果】
【００１３】
本発明では、照明器具のレースウェイへの取付け及び取外しが容易に行えるという効果がある。
【発明を実施するための最良の形態】
【００１４】
以下、本発明の実施形態について図１ないし図２を参照して説明する。尚、図１に示すように、本実施形態の照明器具３を取付けるレースウェイ１は、上述の従来技術におけるレースウェイ１と共通である。
【００１５】
図１に示される本実施形態の取付装置２１は、照明器具３を保持する保持手段と、レースウェイ１に保持手段を固定する固定手段とから構成される。
【００１６】
保持手段たるバネ体９は、矩形板の主片２３と、主片２３の長手方向両端から外側へ拡開しながら下方に延びる一対の腕片２２とが一体に形成されてなる。主片２３の中央にはボルト挿通孔９ａが形成され、各腕片２２の下部には内向きに折り返してなる係合鍔１０が形成されている。
【００１７】
固定手段は、係止部材４と、連結部材６と、水平面内で回動自在な挟持板７とから構成されている。
【００１８】
係止部材４は、短冊状の金属板を加工してなり、長手方向の両端部が下方に折り曲げられることでレースウェイ１の内鍔２に係止する一対の係止片５が形成されている。また、係止部材４は、長手方向の長さが、レースウェイ１の内鍔２間の開口幅より長く、レースウェイ１の両側面１１の間隔より短く、且つ短手方向の幅が、前記開口幅より短い寸法になっている。そして、係止部材４の長手方向の中央部にはボルト挿通孔４ａが形成されている。
【００１９】
連結部材６は、先端にネジ部を備えるボルト１９と、ナット１８と、スペーサ１７と、弾性体２０とから構成されている。スペーサ１７は、長手方向に貫通するボルト挿通孔１７ａを備えた円筒形状の合成樹脂成形品からなり、ボルト１９のネジ部に外挿される。弾性体２０は、中央部にボルト挿通孔２０ａを備え、長手方向の両端部が下方に膨出した矩形状の合成樹脂板からなり、ボルト１９のネジ頭部とバネ体９との間で挟持される。
【００２０】
挟持板７は、矩形の金属板を加工してなり、長手方向の中央部には、スペーサ１７が挿通される挿通孔７ａが貫設されている。また、挟持板７は、長手方向に沿った端縁を上方に立ち上げるように折り曲げてなる隆起部８が長手方向両端に設けられている。この隆起部８は、後述するように挟持板７の回動中心となる挿通孔７ａから離れるに従って高さを増すように略三角形状に形成されている。
【００２１】
取付装置２１は、以下の手順で組立てられる。先ず、バネ体９の腕片２２及び係合鍔１０が下方を向くように、ボルト１９を、弾性体２０、バネ体９、スペーサ１７の順に各々のボルト挿通孔２０ａ、９ａ、１７ａに挿通させる。次に、スペーサ１７を、挟持板７の隆起部８が上面になるように挟持板７の挿通孔７ａに挿通させる。そして、ボルト１９の先端ネジ部を、傾斜する係止片５が下方へ向くように、係止部材４のボルト挿通孔４ａに挿通させる。このとき、スペーサ１７の下面はバネ体９の主片２３の上面に当接され、スペーサ１７の上面は係止部材４の下面に当接されている。最後に、係止部材４の上面から突出されるボルト１９のネジ部をナット１８に螺合することで、係止部材４とバネ体９とが連結固定される。係止部材４とバネ体９との連結固定の際は、堅固にボルト１９及びナット１８で締結せずに、適度な遊びを持たせておくことが望ましい。尚、ボルト１９を係止部材４から順に挿通させて、バネ体９から突出されるボルト１９のネジ部をナット１８に螺合してもよい。
【００２２】
照明器具３は、図１に示すように、基本的に上述の従来技術における照明器具３と共通であり、器具本体１３の長手方向に沿った両側面に、内側へ鋭角に凹んだ溝形の係合部１２が形成されている点のみ異なる。
【００２３】
以下、上述のように構成される本実施形態の取付装置２１を用いて、レースウェイ１に照明器具３を取付ける手順について説明する。先ず、取付装置２１のバネ体９を手で保持し、図２（ａ）及び（ｂ）に示すように、係止部材４の長手方向がレースウェイ１の内鍔２間の開口に平行になるように向きを合わせる。そして、バネ体９を手で上に押上げて、係止部材４を前記開口に挿入する。次に、図２（ｃ）及び（ｄ）に示すように、手でバネ体９を水平面内で回動させて、係止部材４の長手方向がレースウェイ１の内鍔２間の開口に垂直になるようにする。次に、図２（ｅ）及び（ｆ）に示すように、手でバネ体９を下降させて、係止部材４の係止片５をレースウェイ１の内鍔２に係止させることにより、取付装置２１がレースウェイ１に保持される。このとき、取付装置２１の中心軸とレースウェイ１の中心軸とにズレがあれば、容易に調整が可能である。また、図２（ｄ）及び（ｆ）に示すように、バネ体９の主片２３の長手方向がレースウェイ１に対して垂直になるように、前述の遊び分でバネ体９の角度を調整することも可能である。そして、挟持板７を回動すれば、隆起部８がレースウェイ１の内鍔２に当接する位置まで移動し、隆起部８と係止片５との間でレースウェイ１の内鍔２が挟持されるため、取付装置２１をレースウェイ１に強固に固定することができる。最後に、図１に示すように、取付装置２１のバネ体９の係合鍔１０間の開口に、照明器具３の器具本体１３を挿入する。このとき、バネ体９の腕片２２が弾性変形により外側へ撓みながら、バネ体９の係合鍔１０が弾性復元力により器具本体１３の係合部１２に係合されることで、取付装置２１に器具本体１３が取付けられる。
【００２４】
また、取外しの際は、上述の手順を逆に行うことで、取付装置２１からの照明器具３の取外し又はレースウェイ１からの取付装置２１の取外しが容易に可能となる。
【００２５】
以上説明した本実施形態の取付装置２１は、一度固定手段及び保持手段の組立てを行えば、以後、取付装置２１及び照明器具３の解体や組立て無しに、レースウェイ１への照明器具３の取付けや取外しが可能となる。
【００２６】
ところで、係止部材４とバネ体９とは必ずしも、固定されている必要はない。以下、係止部材４とバネ体９とが固定されていない取付装置２１を、レースウェイ１に取付ける手順について、図３を参照して説明する。先ず、取付装置２１の係止部材４を直接指で保持し、係止部材４の長手方向がレースウェイ１の内鍔２間の開口に平行になるように向きを合わせ、係止部材４を上方に挿入する。次に、係止部材４を直接指で水平面内で回動させて、係止部材４の長手方向がレースウェイ１の内鍔２間の開口に垂直になるようにする。そして、指で係止部材４を下降させて、係止部材４の係止片５をレースウェイ１の内鍔２に係止させる。これにより、図３（ａ）及び（ｂ）に示すように、取付装置２１がレースウェイ１に保持される。次に、図３（ｃ）及び（ｄ）が示すように、バネ体９の主片２３の長手方向がレースウェイ１に対して垂直になるように、バネ体９を水平面内で回動させる。そして、図３（ｅ）及び（ｆ）が示すように、挟持板７を回動すれば、上述の実施形態と同様に、取付装置２１をレースウェイ１に強固に固定することができる。 
【００２７】
以上説明した係止部材４とバネ体９とが固定されていない取付装置２１は、上述の実施形態に比べると、係止片５をレースウェイ１の内鍔２に係脱する作業に手間が掛かるものの、係止片５がレースウェイ１の内鍔２に係止後もバネ体９は水平面内で回動自在なため、容易にバネ体９の方向調整が可能となる。
【００２８】
尚、本実施形態は、バネ体９の係合鍔１０を器具本体１３の下端に係合する構成とすれば、器具本体１３に係合部１２を設ける必要はない。
【図面の簡単な説明】
【００２９】
【図１】本発明の一実施形態を示し、レースウェイに照明器具を取付けた側面図である。
【図２】（ａ）〜（ｆ）は、同上の取付作業を説明するための説明図である。
【図３】（ａ）〜（ｆ）は、バネ体が非固定の場合における同上の取付作業を説明するための説明図である。
【図４】従来の取付装置の一例を示し、レースウェイに照明器具を取付けた側面図である。
【符号の説明】
【００３０】
１  レースウェイ
２  内鍔
３  照明器具
４  係止部材
５  係止片
６  連結部材
９  バネ体
２１  取付装置
【図１】
0005149668.tif 000002
【図２】
0005149668.tif 000003
【図３】
0005149668.tif 000004
【図４】
0005149668.tif 000005